(57)【要約】【課題】  破損等による故障や動作不良を有効に防止すると共に作動水位が容易に認識できる水中ポンプを提供する。【解決手段】  水中ポンプ２１の側部に支持ブラケット３０を介して上下方向に延びる取付けロッド２９が支持されている。取付けロッド２９の上下方向に離隔した複数位置に上部静電容量センサ３３および下部静電容量センサ３４が上下方向に高さ調整自在に取り付けられている。取付けロッド２９の外周面には上下方向に沿って目盛り３１が設けられている。【選択図】    図１
2006070729.tif 000002
【特許請求の範囲】
【請求項１】
ポンプ本体に支持された上下方向に延びる取付けロッドに、水位検出センサが取り付けられ、該水位検出センサによる水位の検出・未検出に応じて駆動制御される水中ポンプにおいて、
前記水位検出センサが、静電容量センサとされたことを特徴とする水中ポンプ。
【請求項２】
請求項１に記載の水中ポンプにおいて、
前記取付けロッドにその長さ方向に沿って細長い接続導体が設けられ、取付けロッドの高さ方向に離隔した複数位置に、前記静電容量センサの電極部がそれぞれ取り付けられると共に、各電極部が前記接続導体に接続されたことを特徴とする水中ポンプ。
【請求項３】
請求項１に記載の水中ポンプにおいて、
前記取付けロッドにその長さ方向に沿って一対の細長い接続導体が並列状に設けられ、取付けロッドの高さ方向に離隔した複数位置に、前記静電容量センサの電極部がそれぞれ取り付けられると共に、各電極部がいずれか一方の前記接続導体に接続され、他方の前記接続導体は補償用静電容量センサの電極部とされ、前記静電容量センサで検出された静電容量と前記補償用静電容量センサで検出された静電容量との差から前記水位が判定されて駆動制御されることを特徴とする水中ポンプ。
【請求項４】
請求項１に記載の水中ポンプにおいて、
前記取付けロッドに上下方向に沿って目盛りが設けられると共に、取付けロッドに前記静電容量センサが上下方向に高さ調整自在に取り付けられていることを特徴とする水中ポンプ。
【請求項５】
請求項２または請求項３に記載の水中ポンプにおいて、
前記取付けロッドに上下方向に沿って目盛りが設けられると共に、取付けロッドに前記静電容量センサの前記電極部が上下方向に高さ調整自在に取り付けられていることを特徴とする水中ポンプ。
【発明の詳細な説明】
【技術分野】
【０００１】
本発明は、排水処理槽等の貯留槽内に設置され、槽内の水を排水するための水中ポンプに関するものである。
【背景技術】
【０００２】
従来、この種の水中ポンプとして、図１０に示されるようなものがあり、水中ポンプ１におけるポンプ本体１ａは、モータ部２を収容するモータケーシング３と、該モータケーシング３上に装着されたモータカバー４と、羽根車５を収容すると共に汲み上げ液流の流路を形成するポンプケーシング６とを備え、モータケーシング３下部におけるモータ部２と羽根車５との間には油室ハウジング部３ａが備えられている。
【０００３】
また、ポンプ本体１ａの外側下部には、下部水位検出センサとしての下部フロートスイッチ８が装着されている。さらに、ポンプ本体１ａの外側上部には、支持ブラケット９を介して上下方向に軸心を有する取付けロッド１０が支持され、該取付けロッド１０に上部水位検出センサとしての上部フロートスイッチ１１が装着されている。
【０００４】
そして、下部フロートスイッチ８や上部フロートスイッチ１１の作動に応じて水中ポンプ１を駆動制御する制御装置がポンプ本体１ａの内部もしくは地上に設置される制御盤内に備えられ、水位の上昇により上部フロートスイッチ１１が作動して排水水位を検出すれば、水中ポンプ１が起動され、羽根車５の回転によって、底部の吸込口から槽内の貯留水を吸い込み、ポンプケーシング６の排出口６ａに取り付けられる排水管を介して槽外に排水する。
【０００５】
その後、排水に伴う水位の低下により、下部フロートスイッチ８が復帰されて停止水位を検出すれば、水中ポンプ１が停止されるように制御される構成とされている。
【０００６】
また、ポンプ本体１ａに支持された取付けロッド１０に、下部フロートスイッチ８や上部フロートスイッチ１１等の複数のフロートスイッチを取り付けて、駆動制御を行う水中ポンプ１もある（例えば、特許文献１および特許文献２参照。）。
【０００７】
【特許文献１】特開２００３−２８６９８８号公報
【特許文献２】特開平６−２４１１９１号公報
【発明の開示】
【発明が解決しようとする課題】
【０００８】
しかしながら、上記のようなフロートスイッチ８、１１を使用したタイプの水中ポンプ１においては、フロートスイッチ８、１１の浮き沈み揺動によってスイッチ部が作動する方式であるため、貯留水中に浮遊する雑芥類等がフロートスイッチ８、１１に絡みつくことにより、浮き沈み揺動が円滑になされず、フロートスイッチ８、１１が動作不良を起こすという問題があった。
【０００９】
また、水中ポンプ１が設置される貯留槽の大小に合わせて水中ポンプ１の始動停止のタイミングを変更するために、フロートスイッチ８、１１の取付け位置を変更しようとしても、フロートスイッチ８、１１は水中に浮遊した状態で作動するため、その作動水位を容易に認識することができないという問題もあった。
【００１０】
さらに、フロートスイッチ８、１１がポンプ本体１ａの外側部に宙吊り状態で取り付けられているため、搬送時や設置時等における他の部材との衝当により破損等の故障を招き易いという問題もあった。
【００１１】
そこで、本発明はこれらの問題点に鑑み、破損等による故障や動作不良を有効に防止すると共に作動水位が容易に認識できる水中ポンプを提供することを目的とする。
【課題を解決するための手段】
【００１２】
上記課題を解決するための技術的手段は、ポンプ本体に支持された上下方向に延びる取付けロッドに、水位検出センサが取り付けられ、該水位検出センサによる水位の検出・未検出に応じて駆動制御される水中ポンプにおいて、前記水位検出センサが、静電容量センサとされた点にある。
【００１３】
また、前記取付けロッドにその長さ方向に沿って細長い接続導体が設けられ、取付けロッドの高さ方向に離隔した複数位置に、前記静電容量センサの電極部がそれぞれ取り付けられると共に、各電極部が前記接続導体に接続された構造としてもよい。
【００１４】
さらに、前記取付けロッドにその長さ方向に沿って一対の細長い接続導体が並列状に設けられ、取付けロッドの高さ方向に離隔した複数位置に、前記静電容量センサの電極部がそれぞれ取り付けられると共に、各電極部がいずれか一方の前記接続導体に接続され、他方の前記接続導体は補償用静電容量センサの電極部とされ、前記静電容量センサで検出された静電容量と前記補償用静電容量センサで検出された静電容量との差から前記水位が判定されて駆動制御される構造としてもよい。
【００１５】
また、前記取付けロッドに上下方向に沿って目盛りが設けられると共に、取付けロッドに前記静電容量センサが上下方向に高さ調整自在に取り付けられている構造や、前記取付けロッドに上下方向に沿って目盛りが設けられると共に、取付けロッドに前記静電容量センサの前記電極部が上下方向に高さ調整自在に取り付けられている構造としてもよい。
【発明の効果】
【００１６】
以上のように、本発明の水中ポンプによれば、ポンプ本体に支持された上下方向に延びる取付けロッドに取り付けられた水位検出センサが、静電容量センサとされとされているため、フロートスイッチのように浮き沈み揺動によって検出する方式でないため、コンパクトに構成でき、搬送時や設置時等における他の部材との衝当により破損等の故障が有効に防止できると共に、貯留水中に浮遊する雑芥類等の絡みつきによる動作不良もなく、水中ポンプの駆動制御が良好に行える。
【００１７】
さらに、取付けロッドにおける静電容量センサの取付け位置により作動水位が容易に確認できる利点もある。
【００１８】
また、取付けロッドにその長さ方向に沿って細長い接続導体が設けられ、取付けロッドの高さ方向に離隔した複数位置に、静電容量センサの電極部がそれぞれ取り付けられると共に、各電極部が接続導体に接続された構造とすれば、一式の静電容量センサで上部と下部の複数位置の水位の検出が可能となり、コスト低減が図れる。
【００１９】
さらに、取付けロッドにその長さ方向に沿って一対の細長い接続導体が並列状に設けられ、取付けロッドの高さ方向に離隔した複数位置に、静電容量センサの電極部がそれぞれ取り付けられると共に、各電極部がいずれか一方の接続導体に接続され、他方の接続導体は補償用静電容量センサの電極部とされ、静電容量センサで検出された静電容量と補償用静電容量センサで検出された静電容量との差から水位が判定されて駆動制御される構造とすれば、接続導体に起因する静電容量の増加分が相殺されて、より正確な水位の検出が行え、水中ポンプの駆動制御における信頼性が向上する。
【００２０】
また、取付けロッドに上下方向に沿って目盛りが設けられると共に、取付けロッドに静電容量センサが上下方向に高さ調整自在に取り付けられている構造や、取付けロッドに上下方向に沿って目盛りが設けられると共に、取付けロッドに前記静電容量センサの電極部が上下方向に高さ調整自在に取り付けられている構造とすれば、検出水位の調整や設定されている検出水位が容易に把握できる利点がある。
【発明を実施するための最良の形態】
【００２１】
以下、本発明の第１の実施形態を図面に基づいて説明すると、図１に示されるように、水中ポンプ２１におけるポンプ本体２１ａは、モータ部２２を収容する金属製のモータケーシング２３と、該モータケーシング２３上部の上ケーシング部２３ａ上に着脱自在に装着されると共に回路基板やその他の電装品等を備えた制御装置２４を覆って装着された樹脂製や金属製等からなるモータカバー２５と、羽根車２６を収容すると共に汲み上げ液流の流路を形成する樹脂製や金属製等からなるポンプケーシング２７とを備え、モータケーシング２３下部におけるモータ部２２と羽根車２６との間には、潤滑油が収容される油室ハウジング２３ｂが備えられている。
【００２２】
前記ポンプ本体２１ａにおけるモータカバー２５の側部には、樹脂製パイプ等の絶縁材からなる取付けロッド２９が支持ブラケット３０を介して上下方向に軸心を有した状態で取付け支持されている。また、取付けロッド２９の外周面には、上下方向に沿って高さ位置を表示する目盛り３１が表示や刻設等により一体的に設けられている。この際、目盛り３１は取付けロッド２９の上下方向全長にわたって設ける構成としてもよく、あるいは排水水位や停止水位の変更で要求される必要領域のみに設ける構成としてもよい。
【００２３】
そして、取付けロッド２９の上部および下部に、水位検出センサとしての上部静電容量センサ３３と下部静電容量センサ３４とが、それぞれ上下方向に高さ調整自在に取り付けられている。この取付け構造としては、図４にも示されるように、取付けロッド２９の周囲を抱持状として締結弛緩自在に締結する構造等、周知の構造を適宜採用すればよい。
【００２４】
また、取付けロッド２９に取り付けられた各静電容量センサ３３、３４部分はそれぞれ絶縁被膜で覆われた構造とされ、各静電容量センサ３３、３４から延設された配線の端部は、ポンプ本体２１ａにおける金属部分であるモータケーシング２３に接続され、ここに、各静電容量センサ３３、３４とモータケーシング２３との相互間に水が存在するかしないかによる水と空気との誘電率の違いにより、静電容量が変化したことを検出して水位を検出する構成とされている。
【００２５】
即ち、図２に示されるように、各静電容量センサ３３、３４は、検出電極部３３ａ、３４ａと、発振回路や整流回路等からなる容量検出回路３３ｂ、３４ｂをそれぞれ備えており、各容量検出回路３３ｂ、３４ｂは検出された静電容量の変化を電気的信号の変化に変換して漸次出力する構成とされている。また、制御装置２４の制御盤３５には、各容量検出回路３３ｂ、３４ｂから漸次入力される電気的信号により水位が達しているかどうかを判定する各判定回路３６、３７や各判定回路３６、３７の判定信号に応じて水中ポンプ２１を駆動制御する制御回路３８および制御回路３８からの駆動信号に応じて水中ポンプ２１を駆動させるポンプ駆動回路３９を備えている。
【００２６】
そして、図１に示されるように、水中ポンプ２１は排水処理槽４１内に設置され、ケーブルを通じて常に電源が供給された状態とされ、各静電容量センサ３３、３４により水位を計測する状態とされている。
【００２７】
そして、図１に示されるように、排水処理槽４１内の水位Ｈが、上部静電容量センサ３３よりも下にある場合には、下部静電容量センサ３４は水に漬かっていることを検出しているが、上部静電容量センサ３３は水に漬かっていないため、判定回路３６からは排水水位に達していない状態に応じた判定信号が出力され、制御回路３８によってポンプ駆動回路３９におけるポンプ駆動リレーはオフ状態とされており、水中ポンプ２１は停止状態とされている。
【００２８】
その後、流入管４３等からの水の流入により、水位Ｈが上昇して上部静電容量センサ３３に達した際には、容量検出回路３３ｂで検出される静電容量が変化し、水位Ｈの増加に伴って静電容量が増加し、水位Ｈが上部静電容量センサ３３より上に達した際には、容量検出回路３３ｂで検出される静電容量が最大となり、上部静電容量センサ３３が水に漬かった状態に応じた検出信号が判定回路３６に出力される。
【００２９】
判定回路３６はこの検出信号を受けて排水水位に達した状態に応じた判定信号を出力し、この判定信号を受けて制御回路３８はポンプ駆動回路３９に駆動信号を出力し、ポンプ駆動リレーがオン状態とされて、水中ポンプ２１が起動される。
【００３０】
そして、水中ポンプ２１が始動されると、羽根車２６の回転によって底部の吸込口から槽４１内の貯留水を吸い込み、ポンプケーシング２７の排出口に取り付けられた排水管４４を介して槽４１外に貯留水を排水する。
【００３１】
その後、水中ポンプ２１による排水に伴う水位Ｈの低下により、水位Ｈが上部静電容量センサ３３位置よりも下がっても排水が継続され、最終的に、下部静電容量センサ３４よりも下に水位Ｈが下がった際に、容量検出回路３４ｂで検出される静電容量が最小となり、下部静電容量センサ３４が水に漬かっていない状態に応じた検出信号が判定回路３７に出力される。
【００３２】
判定回路３７はこの検出信号を受けて停止水位に達した状態に応じた判定信号を出力し、この判定信号を受けて制御回路３８はポンプ駆動回路３９に停止信号を出力し、ポンプ駆動リレーがオフ状態とされて、水中ポンプ２１が停止される。
【００３３】
その後は再度、水位Ｈが上部静電容量センサ３３を越えるまで停止した状態とされる。
【００３４】
本実施形態における水中ポンプ２１は以上のように、取付けロッド２９に固定状態に取り付けられた上部静電容量センサ３３や下部静電容量センサ３４が水に漬かっているかいないかの静電容量の変化による水位Ｈの検出・未検出に応じて駆動制御する構成であり、フロートスイッチのように浮き沈み揺動によって検出する方式でないため、外側方にあまり突出せず、コンパクトに構成でき、搬送時や設置時等における他の部材との衝当による破損等の故障が有効に防止できると共に、貯留水中に浮遊する雑芥類等の絡みつきによる動作不良もなく、水中ポンプ２１の駆動制御が良好に行える。
【００３５】
また、取付けロッド２９における各静電容量センサ３３、３４の取付け位置により排水水位や停止水位等の作動水位が容易に確認できる利点もある。この際、取付けロッド２９に目盛り３１が備えられると共に、各静電容量センサ３３、３４が高さ調整自在に取り付けられる構造とされているため、排水水位や停止水位等の検出水位の調整や設定されている検出水位が容易に把握できる利点がある。
【００３６】
さらに、各静電容量センサ３３、３４を絶縁被膜で覆った構造としておけば、錆の発生等も有効に防止でき、汚水等の高導電率の液体の影響も受け難い利点がある。
【００３７】
なお、取付けロッド２９に各静電容量センサ３３、３４を取り付けた構造を示しているが、各静電容量センサ３３、３４の検出電極部３３ａ、３４ａのみを取付けロッド２９に取り付ける構造とし、容量検出回路３３ｂ、３４ｂ等をポンプ本体２１ａ内部に収容する構造としてもよい。
【００３８】
図３ないし図５は第２の実施形態を示しており、第１の実施形態と同様構成部分は同一符号を付し、その説明を省略する。
【００３９】
即ち、本実施形態においては、取付けロッド２９の外周面に、その長さ方向に沿った略全長にわたって上下方向に細長い接続導体としての金属棒４６が、一体成形やネジ止め等により取り付けられている。そして、静電容量センサ４７の検出電極部が複数備えられ、本実施形態では上部検出電極部４７ａと下部検出電極部４７ｂとが取付けロッド２９の上部および下部の排水水位および停止水位に対応してそれぞれ取り付けられた構造とされている。
【００４０】
各検出電極部４７ａ、４７ｂは、図４にも示されるように、取付けロッド２９の周囲を抱持状としてボルト４８・ナット４９により締結弛緩自在に締結する構造とされ、弛緩状態で高さ調整自在とされている。そして、これら各検出電極部４７ａ、４７ｂを取付けロッド２９に取り付けることにより、各検出電極部４７ａ、４７ｂは金属棒４６を通じて互いに接続状態とされ、金属棒４６を通じて静電容量センサ４７の容量検出回路４７ｃに接続された構成とされている。ここに、金属棒４６も検出電極として機能される。
【００４１】
また、容量検出回路４７ｃは制御盤３５に備えられ、第１の実施形態と同様、容量検出回路４７ｃから漸次入力される電気的信号により水位の状況を判定する判定回路５０や判定回路５０の判定信号に応じて水中ポンプ２１を駆動制御する制御回路３８および制御回路３８からの駆動信号に応じて水中ポンプ２１を駆動させるポンプ駆動回路３９を備えている。
【００４２】
そして、水中に没する電極部４７ａ、４７ｂ、４６部分が増加するほど静電容量が増加していくことを利用して、水位を検出する構成とされている。この際、金属棒４６は細長状であり、上部検出電極部４７ａおよび下部検出電極部４７ｂは大形であるため、上部検出電極部４７ａ部分や下部検出電極部４７ｂ部分で静電容量は大きく変化する。
【００４３】
そして、第１の実施形態と同様、排水処理槽４１内に設置して使用した場合において、例えば、水位が上部検出電極部４７ａよりも下方で、下部検出電極部４７ｂよりも上方に位置する場合、容量検出回路４７ｃによって検出される静電容量は中程度となり、ポンプ駆動リレーはオフ状態とされており、水中ポンプ２１は停止状態とされている。
【００４４】
その後、流入管４３等からの水の流入により、水位が上昇して上部検出電極部４７ａに達した際には、容量検出回路４７ｃで検出される静電容量が大きく変化し、水位の増加に伴って静電容量が増加し、水位が上部検出電極部４７ａより上に達した際には、容量検出回路４７ｃで検出される静電容量が略最大となり、上部検出電極部４７ａが水に漬かった状態に応じた検出信号が判定回路５０に出力される。
【００４５】
判定回路５０はこの検出信号を受けて所定の判定信号を出力し、この判定信号を受けて制御回路３８はポンプ駆動回路３９に駆動信号を出力し、ポンプ駆動リレーがオン状態とされて、水中ポンプ２１が起動され、排水が開始される。
【００４６】
その後、水中ポンプ２１による排水に伴う水位の低下により、検出される静電容量も減少していき、水位が上部検出電極部４７ａ位置よりも下がっても排水が継続され、最終的に、下部検出電極部４７ｂよりも下に水位Ｈが下がった際に、容量検出回路４７ｃで検出される静電容量が略最小となり、下部検出電極部４７ｂが水に漬かっていない状態に応じた検出信号が判定回路５０に出力される。
【００４７】
判定回路５０はこの検出信号を受けて所定の判定信号を出力し、この判定信号を受けて制御回路３８はポンプ駆動回路３９に停止信号を出力し、ポンプ駆動リレーがオフ状態とされて、水中ポンプ２１が停止される。
【００４８】
その後は再度、水位が上部検出電極部４７ａを越えるまで停止した状態とされる。
【００４９】
本実施形態おける水中ポンプ２１は以上のように駆動制御され、第１の実施形態と同様の効果を奏すると共に、一式の静電容量センサ４７で上部と下部の複数位置の水位の検出が可能となり、コスト低減が図れる。
【００５０】
なお、金属棒４６による静電容量の変化量は、上部検出電極部４７ａや下部検出電極部４７ｂによる静電容量の変化量に比較して、できるだけ少なくなるようにできるだけ細い形状とすることが水位計測の正確性から好ましい。
【００５１】
また、図６に示されるように、検出電極部４７ａ、４７ｂを上下方向薄肉状で、径外方向に張り出した薄肉円盤状に構成すれば、水位の上昇・下降時における静電容量の変化が大きく、検出精度の向上が図れる。
【００５２】
さらに、図７に示されるように、検出電極部４７ａ、４７ｂの外周部を径外方向に対して漸次薄肉となる構造としておけば、貯留水中の雑芥類等の絡みつきも有効に防止でき、排水処理槽４１外に貯留水と共に有効に排出できる。
【００５３】
図８は第３の実施形態を示しており、第２の実施形態と同様構成部分は同一符号を付し、その説明を省略する。
【００５４】
即ち、本実施形態においては、取付けロッド２９の外周面に、その長さ方向に沿った略全長にわたって上下方向に細長い接続導体としての２芯のケーブル５１が取り付けられている。そして、上部の排水水位や下部の停止水位を検出するための静電容量センサ５２における上部検出電極部５２ａと下部検出電極部５２ｂが、ケーブル５１における一方のセンサ電極接続電線５１ａにそれぞれ接続された状態で取付けロッド２９に前述同様構成により高さ調整自在に取り付けられている。さらに、このセンサ電極接続電線５１ａに静電容量センサ５２の容量検出回路としてのメイン容量検出回路５２ｃが接続されている。
【００５５】
また、ケーブル５１における他方の静電容量補償電線５１ｂには、センサ電極接続電線５１ａによる静電容量を相殺するための静電容量を検出する容量検出回路としての補償容量検出回路５４が接続され、これら静電容量補償電線５１ｂと補償容量検出回路５４によりいわゆる補償用静電容量センサ５５が構成され、静電容量補償電線５１ｂはその検出電極部として機能する。
【００５６】
そして、制御盤３５には、メイン容量検出回路５２ｃや補償容量検出回路５４が備えられると共に、メイン容量検出回路５２ｃと補償容量検出回路５４でそれぞれ検出された静電容量の差を増幅比較する差動増幅回路５６が備えられている。そして、第１や第２の実施形態と同様、差動増幅回路５６から漸次入力される電気的信号により水位の状況を判定する判定回路５７や判定回路５７の判定信号に応じて水中ポンプ２１を駆動制御する制御回路３８および制御回路３８からの駆動信号に応じて水中ポンプ２１を駆動させるポンプ駆動回路３９を備えている。
【００５７】
そして、本実施形態の水中ポンプ２１を排水処理槽４１内に設置して使用した場合、静電容量センサ５２により上部検出電極部５２ａ、下部検出電極部５２ｂおよびセンサ電極接続電線５１ａにおける静電容量が検出され、補償用静電容量センサ５５により静電容量補償電線５１ｂの静電容量が検出される。
【００５８】
そして、差動増幅回路５６により静電容量センサ５２で検出された静電容量と補償用静電容量センサ５５で検出された静電容量との差を増幅比較することで、取り付けられたケーブル５１のセンサ電極接続電線５１ａと静電容量補償電線５１ｂとの静電容量が相殺されるため、第１の実施形態と同様の効果を奏すると共に、ケーブル５１によって生じる静電容量に影響を受けずに水位の検出が可能となり、より正確な水位の検出が行え、水中ポンプ２１の駆動制御における信頼性が向上する。
【００５９】
図９は第４の実施形態を示しており、前述実施形態と同様構成部分は同一符号を付し、その説明を省略する。
【００６０】
即ち、第３の実施形態においては、取付けロッド２９の外周面に、その長さ方向に沿った略全長にわたって上下方向に細長い接続導体としての２芯のケーブル５１が取り付けられた構造としているが、本実施形態においては、同様の２芯のケーブル５１を取付けロッド２９に固定しない略フリー状態とされ、上部検出電極部５２ａや下部検出電極部５２ｂが取付けロッド２９に対して任意の高さに固定可能な構造とされている。そして、その回路構成は第３の実施形態と同様に構成され、即ちセンサ電極接続電線５１ａとしての一方の電線は各電極部５２ａ、５２ｂに接続され、静電容量補償電線５１ｂとしての他方の電線は先端無接続とされている。
【００６１】
従って、本実施形態においても、第３の実施形態と同様の効果を奏する。
【００６２】
なお、上記各実施形態において、取付けロッド２９の上下２個所位置に、静電容量センサ３３、３４や検出電極部４７ａ、４７ｂ、５２ａ、５２ｂを取り付けた構造を示しているが、取付けロッド２９の上下方向に離隔した３個所位置にそれらを取り付ける構造としてもよい。
【００６３】
そして、２個所位置に静電容量センサ等を取り付けた水中ポンプと３個所位置に静電容量センサ等を取り付けた水中ポンプの２台を排水処理槽４１内に設置して、従来同様、交互運転させるように駆動制御することもできる。
【００６４】
また、上記各実施形態において、制御装置２４をポンプ本体２１ａ内に備えた構造を示しているが、地上に設置される制御盤内に設置する構造としてもよい。
【図面の簡単な説明】
【００６５】
【図１】本発明の第１の実施形態にかかる水中ポンプの設置例を示す側面図である。
【図２】同制御ブロック図である。
【図３】第２の実施形態にかかる水中ポンプ装置の側断面図である。
【図４】図３のIV−IV線断面拡大矢視図である。
【図５】同制御ブロック図である。
【図６】別の例としての検出電極部を示す側面図である。
【図７】別の例としての検出電極部を示す側面図である。
【図８】第３の実施形態にかかる制御ブロック図である。
【図９】第４の実施形態にかかる水中ポンプ装置の側断面図である。
【図１０】従来例を示す側断面図である。
【符号の説明】
【００６６】
２１  水中ポンプ
２１ａ  ポンプ本体
２９  取付けロッド
３１  目盛り
３３  上部静電容量センサ
３４  下部静電容量センサ
４６  金属棒
４７  静電容量センサ
５１  ケーブル
５１ａ  センサ電極接続電線
５１ｂ  静電容量補償電線
５２  静電容量センサ
５２ａ  上部検出電極部
５２ｂ  下部検出電極部
５４  補償容量検出回路
５５  補償用静電容量センサ
５６  差動増幅回路
【図１】
2006070729.tif 000003
【図２】
2006070729.tif 000004
【図３】
2006070729.tif 000005
【図４】
2006070729.tif 000006
【図５】
2006070729.tif 000007
【図６】
2006070729.tif 000008
【図７】
2006070729.tif 000009
【図８】
2006070729.tif 000010
【図９】
2006070729.tif 000011
【図１０】
2006070729.tif 000012